(57)【要約】      （修正有）【課題】カミソリユニット全体を廃棄する必要のない、環境にやさしい使い捨てカミソリを提供する。【解決手段】ハンドル１０にハンドル１０から外側に伸びる３つのプロング１２，１３，１４から成る取付装置を設け、一方カミソリヘッド１１には、カミソリへッド１１及びハンドル１０を結合するときにハンドル１０の取付装置を受ける室１５を設ける。室１５は、最も内側の中央にカミソリへッド１１及びハンドル１０を一緒に固定するために使用される空隙スロット及び固定肩部を有する。使用済みのカミソリヘッドの交換は、室１５の上部に前方ヘの力を作用させることによってハンドル１０とカミソリヘッド１１の結合を解除し行うが、この結合は髭剃り中にハンドル１０及びカミソリヘッド１１には作用する力によっては分離されることがないように十分に強い。【選択図】図２
2005040614.tif 000002
【特許請求の範囲】
【請求項１】
一端から外方ヘ突出する複数のプロングを有するハンドルと、
少なくとも１つの刃を有し、前記複数のプロングを受容するための室壁により画成された室を有するカートリッジと、
を有する使い捨てカミソリユニットにおいて、
前記室壁と前記ハンドルとの間の締りばめの強さは、ユーザが前記ハンドルに沿って前記カートリッジに加える前方への力により前記カートリッジがハンドルから分離されるが、通常のひげそり中の力によっては前記カートリッジがハンドルから分離されることがない程度であることを特徴とする使い捨てカミソリユニット。
【発明の詳細な説明】
【技術分野】
【０００１】
本発明は使い捨てカミソリに関し、特に着脱可能なカミソリヘッドを有する使い捨てカミソリに関する。
【発明の背景】
【０００２】
現在、使い捨てカミソリは世界において大きな割合で使用されている。通常市販されている使い捨てカミソリは、刃を有するカミソリヘッド及びカミソリハンドルが永久的に共に固定されて１つの部品を形成するカミソリである。このようなカミソリは、ある回数の使用までは有効ではあるが一旦刃がなまると、全体を廃棄しなければならない。ユーザにとって使い捨てカミソリの第１の利点は、価格と便宜性である。なぜならば、使い捨てカミソリは、ある回数使用した後に、廃棄されるように構成され、永久的に使用されるように構成された非使い捨てカミソリで使用される材料よりも廉価な材料で製造されるからである。使い捨てカミソリの欠点は、ユニット全体、すなわち、小さいカミソリヘッドと大きいハンドルの廃棄によってすでに一杯になっている廃棄用地に環境的な負荷を付加することである。一杯になった用地に関連する環境的な問題を解決するために、製造している使い捨て製品の量を世界的な規模で少なくすることが必要になる。本発明は、過剰な使い捨て製品から生じる世界的な環境問題を制御する際に助けとなる装置を提供する。
【発明の開示】
【０００３】
従って、刃がなまったときにカミソリユニット全体を廃棄する必要がない使い捨てカミソリユニットを提供することが望ましい。使い捨てカミソリの望ましい品質を有する一方、着脱可能で置換可能なカミソリヘッドは、使い捨てカミソリに関する環境的な問題を非常に低減する。このようなカミソリユニットは、全体を廃棄する前に多数回にわたって再使用しながら、刃がなまったときに、通常ハンドル部分より小さいカミソリヘッド部分を廃棄することができるようにする。要するに、大きなハンドル部分は、小さなカミソリヘッドより少ない頻度で廃棄され、それによって使い捨て材料の量を低減する。さらに、カミソリヘッドの上面に作用する力によってカミソリヘッドをカミソリハンドルから容易に取り外すことができる使い捨てカミソリを提供することが望ましい。このような方法でカミソリヘッドを取り外すことによって、ユーザがカミソリヘッドを取り外すために刃の縁部と反対側のカミソリヘッドの表面に係合する安全なカミソリが形成される。他の取り外し装置も使用することができる。
【０００４】
本発明は、ハンドルから着脱可能なカミソヘッドを有する使い捨てカミソリユニットを提供する。本発明の好ましい実施例によれば、ハンドルは、ハンドルから外側に伸びる３つの独立した弾性プロングから成る取付装置を有する。中央のプロングは、ハンドルとは反対側で下側に３角形の歯を有する。カミソリ刃とハンドルが結合されたときに、ハンドルの取付装置を受けるためにカミソリ刃に１つの室っ配置がれてぃる。この室は、最内端の中央に空隙スロット及び固定肩部を有し、この肩部は、カミソリ刃とハンドルを一緒に回定するとき中央のプロングの歯が適合する。プロングが室に挿入されたとき、中央のプロングの歯が上方に移動し、空隙スロットを通って係合するときに固定肩部に下方に適合し、カミソリヘッドを所定の位置に保持するために十分な締りばめを行う。
【０００５】
また、弾性プロングは、ハンドルからカミソリヘッドを解放する機構を提供する。ハンドルとカミソリヘッドとの間の結合の強さは、ユーザによってカミソリヘッドの上側に指の力を加えたときに固定肩部及びスロットと弾性プロングとの関係を変化させ、カミソリヘッドを所定の位置に保持する締りばめをなくするような程度である。通常の使用中に、カミソリヘッドとハンドルとの間の結合は、それらがひげそり中に出合う通常の力によっては分離しないような程度のものである。
【実施例】
【０００６】
本発明の実施例は着脱可能なカミソリヘッドを有する使い捨てカミソリを提供するように構成されている。ここに使用する用語の「カミソリヘッド」は、カミソリハンドルに別々に固定されるように構成された使い捨てカートリッジと、切断部分がハンドル部分と一体的に形成されているカミソリの作動部分とを含むことを意味する。本発明によれば、カミソリは、カミソリヘッドの上部に前方に指の力を加えることによってカミソリハンドルから分離される着脱可能なカミソリヘッドを提供する使い捨て材料から成る。
【０００７】
本発明の好ましい実施例は、図１に示されている。この実施例は、使い捨てハンドル１０と一緒に固定されている着脱可能なカミソリヘッド１１とを有する。図１に示された実施例は、２枚刃用に構成されている。当業者は、ハンドル及びカミソリヘッドが種々の形状、すなわち、１つまたはそれ以上の刃を有することができることを理解できるであろう。好ましくは、カミソリヘッド１１及びハンドル１０は、永久的には使用しないように、すなわち、所定の回数にわたって使用した後に別々に廃棄するようになっている。
【０００８】
図２は、ハンドルとカミソリヘッドを取り付ける好ましい装置を示している。好ましい実施例において、３つの独立した弾性プロング１２，１３，１４がカミソリヘッド１１に取り付けられるハンドル１０の端部から外側に伸びている。室１５は、カミソリユニットを一緒に固定するときにプロング１２，１３，１４が室に挿入され、室１５内にプロングが包囲されるようにカミソリヘッド１１に配置される。
【０００９】
図３は、本発明の好ましい実施例の３つの独立した弾性プロング１２，１３，１４の上部を示している。２つの端部プロング１２，１４は中央プロング１３に向かって内側に伸びているタブ１９を有する。各プロングが他のプロングとは独立して移動することができるように各プロングの間に開放領域が形成されている。
【００１０】
図４及び図５は、本発明の取付装置の断面図を示す。図４は、室内に包囲されるプロング１２，１３，１４による好ましい方法で一緒に固定されているカミソリヘッド１１及びハンドル１０とを示している。中央のプロング１３は、ハンドルから最も離れた端部の下側に配置された歯１６を有する。室１５の最も内側の中央に配置された空隙スロット１７は、歯１６に適応するために十分な大きさである。固定肩部１８は、空隙スロット１７に隣接して室１５の下側に設けられている。図５に最もよく示されるように、断面図で示すように中央プロング１３の休止整合位置は端部プロング１２，１４の位置よりも下が好ましい。ユニット全体が一緒に固定されるとき、中央プロング１３は、歯１６が空隙スロット１７に整合するときに休止整合によってその下方に保持される。このような位置において、ユニットは空隙スロット１７内で適合する歯１６の間の締りばめによって一緒にしっかり固定され、それによってカミソリヘッド１１内の固定肩部１８に係合する。ユニットが歯１６を介して一緒に固定されるとき、カミソリへッド１１は、ひげそり中に出合う力に応答してハンドル１０とは独立して動くことはない。
【００１１】
図５に示すように、カミソリヘッド１１及びハンドル１０は、室１５の上方、外側、すなわち、刃２０，２１とは反対側のカミソリヘッドの表面に力Ｆを加えることによって分離される。力Ｆは非常に広範に変化するが、０．５ポンド乃至１５ポンド（０．２５ｋｇ乃至７．５ｋｇ）の範囲が好ましい。このような力は中央のプロング１３を休止整合から変形させ、歯１６が空隙スロット１７及び固定肩部１８から離脱し、締りばめをなくす。締りばめがなくなることによって、ハンドル１０をカミソリヘッド１１から分離することができる。このような方法におけるカミソリヘッドの取り外しは、ユーザの手が刃とは反対のカミソリへッド１１の部分に接触し、従って、刃によって傷つく機会を小さくするという点でユーザにとって安全である。
【００１２】
同様に、カミソリヘッド及びハンドルの取付中、中央のプロング１３は、プロング１２，１３，１４が室に挿入されるときに変形される。中央のプロング１３は、カミソリヘッド及びハンドルを一緒に取り付けるために空隙スロット１７及及び固定肩部１８と歯１６を係合するときに休止整合でその下端に戻る。
【００１３】
本発明の他の実施例によれば、本発明のカミソリヘッドにひげそり補助剤が組み込まれる。当業者は、ひげそり補助剤をカミソリヘッドの一部に取り付けることまたは埋め込むことを含むいくつかの異なる方法によって組み込むことができることは理解できよう。
ひげそり補助剤を構成する例としての材料は、次の１つまたは種々の組み合わせを有する。
【００１４】
Ａ．カミソリヘッドと皮膚との間の摩擦力を低減する潤滑剤、例えば、マイクロエンカプセル処理されたシリコンオイル。
Ｂ．カミソリ部品と皮膚との間の引きずりを小さくする薬剤、例えば、１０，０００と６００，０００との間の分子量の範囲のポリエチレンオキサイド、非イオンのポリアクリルアミド、及び／または「グアーゴム」のような植物材料から抽出された天然の多糖類。
Ｃ．カミソリ刃がひげを容易に通過することができるように毛の化学的構造を変更する薬剤、例えば、脱毛剤がその例である。
Ｄ．ひげそり中にカミソリ部分からひげと皮膚のくずを容易に洗い流すことができるクリーニング剤、例えば、ソジアム・ラウリル・サルフェートのようなシリコンポリエチレンオキサイド共重合体である。
Ｅ．微生物を殺すか、または皮膚の損傷及び擦過症を治療する薬品。
Ｆ．皮膚を柔軟、円滑にし、コンディショニングまたは改善する化粧品。
Ｇ．ひっかき傷及び切り傷から生じる出血を抑制する止血剤。
Ｈ．メントールのようなエッセンシャルオイル。
【００１５】
上述したように、ひげそり補助剤の組成、それをカミソリヘッドに適用する場所、取付の方法及び／または組み込みの他の装置及び方法は、特定の要求に適合するために広範に変化する。
【００１６】
本発明の好ましい実施例であると思われるものを説明したが、当業者は本発明の範囲から逸脱することなく、本発明に種々の変更及び変形を行うことは理解できよう。また本発明の範囲内にあるこのようなすべての変更及び変形に対する権利請求を意図するものである。
【図面の簡単な説明】
【００１７】
【図１】本発明のカミソリの斜視図である。
【図２】ハンドルから分離したカミソリヘッドを有する本発明のカミソリの斜視図である。
【図３】本発明の取付装置の平面図である。
【図４】歯が固定肩部に係合している状態で図１を線４−４の平面で切った断面図である。
【図５】歯が固定肩部から離脱している状態で図１を線４−４の平面で切った断面図である。
【図６】歯がハンドルから分離されたカミソリヘッドを有する図１の線４−４の平面で切った断面図である。
【符号の説明】
【００１８】
１０                ハンドル
１１                カミソリヘッド（カートリッジ）
１２，１３，１４    プロング
１５                室
２０，２１          刃
Ｆ                  カートリッジを分離する力
【図１】
2005040614.tif 000003
【図２】
2005040614.tif 000004
【図３】
2005040614.tif 000005
【図４】
2005040614.tif 000006
【図５】
2005040614.tif 000007
【図６】
2005040614.tif 000008